(57)【要約】【課題】ドアの厚みに応じてがたつきを生ずることなく確実に、且つ、極めて簡便に取り付け可能なドア用レバーハンドルを提供する。【解決手段】角芯部材６を貫通孔１４に挿入していくと、この貫通孔１４の平目ローレット加工は、平目ローレット加工が施された角芯部材６の側面６ａ等から摩擦力を受けるため、可動ブロック１０は、スプリング１５，１７に抗してテーパ孔１１ｂ面を摺動し、図５（Ｂ）中の矢印方向に移動していくが、一旦貫通孔１４に挿入された角芯部材６には、上ブロック１２及び下ブロック１３のくさび作用による挟み付け力、及びこれを助長するスプリング１５，１７による付勢力が付与され、引き抜きは不能になる。そして、角芯部材６を穿設孔１１ａ、貫通孔１４を通して凹孔７に挿入していくと、自ずと角芯受け８がドア２の取付座に挿嵌され、これ以上の挿入ができなくなった位置で把手部３の取り付けが完了する。【選択図】　図５
2004003356.tif 000002
【特許請求の範囲】
【請求項１】
ドアを開閉するために該ドアの両側にそれぞれ取り付けられる把手部を備え、該把手部のうちの一方に固定された細長い矩形状の芯部材を他方の前記把手部に設けられた矩形状の穿設孔等に挿入してこれら把手部を前記ドアに取り付けるレバーハンドルにおいて、前記穿設孔に連通し、前記芯部材の挿入方向に漸増する勾配をなすテーパ孔面を形成し、該テーパ孔面を摺動するテーパ面が形成され、且つ、平目ローレット加工が施された前記芯部材の側面に対応して平目ローレット加工が施された可動ブロック、及び該可動ブロックの摺動に抗する付勢手段を備えてなることを特徴とするドア用レバーハンドル。
【請求項２】
前記穿設孔及びテーパ孔面は、前記他方の把手部の軸部に配設される固定ブロックに穿設されてなることを特徴とする請求項１に記載のドア用レバーハンドル。
【発明の詳細な説明】
【０００１】
【発明の属する技術分野】
本発明は、各種ドアを開閉するときに把手するレバーハンドルに関し、特に、ドアへの取り付け・取り外しを容易にできるドア用レバーハンドルに関する。
【０００２】
【従来の技術】
この種のレバーハンドルで、その把手部をドアの両側にそれぞれ取り付けるための取付構造に関しては、従来から種々のものがある。
その例の一つとしてのレバーハンドル１００は、図６に示すように、錠箱（扉又は引戸に固定されたもの）１０１の両側にそれぞれ配設される把手部１０２と１０３とを備え、把手部１０２に小ネジなどで取り付けられた角軸１０４を、把手部１０３の軸孔１０５をもって取り付けるとともに、止めねじ１０６をねじ込むことによって固定してなるものである。即ち、角軸１０４の長さ方向の１つの稜部を挟み、かつ隣り合う２つの面１０４ａ，１０４ｂにそれぞれ細長い係止板１０７を接合させるようにして沿わせ、このようにして直角をなす態様に配された係止板１０７に対し、止めねじ１０６をねじ込むことによって角軸１０４が把手部１０３に固定されるような構造をなしている（特許文献１）。尚、図６（Ａ）は、レバーハンドル１００の部分縦断平面図であり、同図（Ｂ）は、同図（Ａ）のＡ１−Ａ１拡大断面図である。
また、他の例としてのレバーハンドル２００は、図７に示すように、同様な把手部２０１と２０２とを備え、把手部２０１に取り付けられた角芯２０３を把手部２０２の角穴２０４に挿入し、挿入された角芯２０３をストッパ２０５によって角穴２０４の奥方向に突っ支えるようにしたものである。即ち、上記角穴２０４につながる空間内に、角芯２０３と当接する部位が円弧面２０５ａに形成されるとともに（当該円弧面に歯が形成される場合も示されている）、円弧面２０５ａと反対側に位置する突片２０５ｂにバネ２０６を配したストッパ２０５が収納されており、角芯２０３を角穴２０４に挿入する場合には、角芯２０３が角穴２０４内に突出した円弧面２０５ａを押し上げ、これにより、ストッパ２０５はバネ２０６に抗して反時計方向（図７（Ｂ）中の矢印方向）に回るために、角芯２０３を角穴２０４に挿入していくことができるが、一旦挿入された角芯２０３を引き抜こうとしても、円弧面２０５ａによって角芯２０３が角穴２０４の奥方向に突っ支えられる状態になるため、引き抜くことができない取付構造をなしている（特許文献２）。尚、図７（Ａ）は、レバーハンドル２００の斜視図であり、同図（Ｂ）は、同図（Ａ）のＡ２拡大断面図である。
【０００３】
【特許文献１】
特開平７−２１７２６７号公報（第２〜３頁、図１，２）
【特許文献２】
特開平１０−２５２３２１号公報（第３〜４頁、図１，２）
【０００４】
【発明が解決しようとする課題】
ところで、上述した最初の例に係るレバーハンドルでは、両把手部の取付構造が、止めねじをねじ込むことによって一方の把手部に取り付けられた角軸を他方の把手部に固定するものであり、したがって、角軸に大きな固定力を付与でき、また、角軸のがたつきを防止できる点では好ましいが、止めねじでねじ込む作業を伴うために煩わしさがある。
また、次の例に係るレバーハンドルでは、両把手部の取付構造が、ねじ込み作業をすることなく、角芯を角穴に挿入すれば角芯が取り付けられた一方の把手部を他方の把手部に固定できるようになっているために、取付作業は容易であるが、当該固定が、ストッパの円弧面を角芯に当接させてその押圧に基づく摩擦力を、また、当該円弧面に歯が形成されている場合にはその歯と角芯の歯との噛合力を、ストッパに作用するバネの付勢力に依拠しており、しかも、ストッパの突片に取り付けられたバネが当該ストッパの揺動によって変形或いは座屈を起こし易いことを考慮すると、長期に亘る使用に耐え得ないと推測され、また、これらストッパ及びバネを上記空間内に組み付けることは容易でないと推測される。更に、角穴に対する角芯のがたつきが生じ易い構造をなしているにも拘わらず、その防止策がなされていない点で問題がある。
ところで、両把手部の取付構造を、ストッパの歯と角芯の歯との噛合に基づくものにする場合には、当該噛合が当該ピッチ長さの倍数で特定される位置でなされるために、角芯の先端を角穴の最奥に当接するところで停止させても、必ずしもストッパの歯と角芯の歯とが噛合するところに一致するとは限らず、角芯のがたつきが生ずる要因になることに留意する必要がある。
【０００５】
本発明の目的は、ドアの両側にそれぞれ取り付けられるレバーハンドルで、その両側間の厚みに応じてがたつきを生ずることなく確実に、且つ、極めて簡便に取り付け可能なドア用レバーハンドルを提供することにある。
【０００６】
【課題を解決するための手段】
上記課題を解決するために、本発明の請求項１に係るドア用レバーハンドルは、ドアを開閉するためにドアの両側にそれぞれ取り付けられる把手部を備え、この把手部のうちの一方に固定された細長い矩形状の芯部材を他方の把手部に設けられた矩形状の穿設孔等に挿入してこれら把手部をドアに取り付けるレバーハンドルで、このうちの穿設孔に連通し、芯部材の挿入方向に漸増する勾配をなすテーパ孔面を形成し、このテーパ孔面を摺動するテーパ面が形成され、且つ、平目ローレット加工が施された芯部材の側面に対応して平目ローレット加工が施された可動ブロック、及びこの可動ブロックの摺動に抗する、例えばスプリングやゴム等の弾性体で構成される付勢手段を備えているものであり、芯部材を穿設孔に挿入していくと、可動ブロックは、平目ローレット加工が施された芯部材の側面からこの側面に対応する平目ローレット加工に作用する摩擦力により、上記付勢手段に抗してテーパ孔面を摺動し、このテーパ孔の勾配が漸増する方向に移動する一方、一旦挿入された芯部材を引き抜こうとしても、芯部材には可動ブロックのくさび作用による挟み付け力、及びこれを助長する付勢手段の付勢力が付与されるために、引き抜きは不能になる。
【０００７】
このような構成に係るドア用レバーハンドルによれば、これを取り付けるドアの厚みに応じて、芯部材を穿設孔に挿入し、当該芯部材で可動ブロックを移動させるだけで確実に取り付けできるので、取り付け作業が極めて簡単に行え、また、本レバーハンドルは、テーパのはめあい嵌合に基づいており、それ自体がたつきの生じ難い構造をなし、また、上述したような原因で長期に亘る使用に耐え得ないなどと言うようなこともない。
ところで、可動ブロックの構成は、そのテーパ面の勾配方向に、例えば、ふたつに切り割りされたものであれば、上記くさび作用による挟み付け力が倍増して好ましい。
また、芯部材の断面形状は、矩形状のものが一般的であるが、六角のような多角形状のものでもよく、また、円形状のものを平取りしたものであってもよい。
【０００８】
また、本発明の請求項２に係るドア用レバーハンドルは、上述した穿設孔及びテーパ孔面が、他方の把手部の軸部に配設される固定ブロックに穿設されるようにしたものである。
【０００９】
【発明の実施の形態】
本発明の実施の形態の一例を図１〜５を参照して説明する。
本実施の形態に係るドア用レバーハンドル１は、図１に示すように、室内用ドア２の両側にそれぞれ配設される把手部３及び４を備えており、把手部３又は４を操作して、ドア２の側端部から突出してドア枠の凹部（図示せず）に係合するラッチ５を進退させることにより、ドア２を開閉させることができる。
【００１０】
本ドア用レバーハンドル１の具体的構成は、図２に示すように、把手部３に固定された細長い矩形状の角芯部材（芯部材）６を把手部４に設けられた後述の穿設孔１１ａ等に挿入させる態様で、これら把手部３及び４がドア２の両側にそれぞれ対向して取り付けられる。但し、図２（Ａ）は、図１のハンドル１の正面一部断面図で、同図（Ｂ）は、同図（Ａ）のＡ−Ａ方向から見た一部断面図である。
即ち、把手部３は、略Ｌ字型を構成する軸部３ａとレバーハンドル部３ｂとを備え、軸部３ａの、把手部４の下記軸部４ａに対向する側の端面には、ドア２に当該把手部３を取り付けるための角芯受け８が突設される一方、この角芯受け８には、角芯部材６を嵌入させるための角孔８ａが穿設されている。そして、この角孔８ａに連設する状態で、角芯部材６を嵌入させるための凹孔９が軸部３ａに穿設されており、角芯部材６は、凹孔９及び角孔８ａ内にビス等で固定されるとともに、角孔８ａから突出して把手部４の軸部４ａに延出する態様をなしている。ところで、本実施の形態では、角芯部材６の延出部の側面６ａ、及び当該側面６ａの反対側に位置する側面（図示せず）に、平目ローレット加工が施されている（図２（Ｂ）参照）。
【００１１】
また、把手部４は、把手部３と同様な略Ｌ字型を構成する上記軸部４ａとレバーハンドル部４ｂとを備え、軸部４ａの、把手部３の軸部３ａに対向する端面には、ドア２に当該把手部４を取り付けるとともに、後述の可動ブロック１０を摺動させるための固定ブロック１１が突設され、更に、この軸部４ａには、上記固定ブロック１１の後述する連通孔１１ｃに対向して、角芯部材６の先端部６ｂを嵌入させるための凹孔７が穿設されており、かかる凹孔７によって、角芯部材６の長手方向を軸とする軸まわりのがたつきが規制され、更には、当該軸を基準とする左右及び上下のがたつきが規制される。
ところで、この固定ブロック１１は、図３に示すような略円筒形状をなし、この円筒内には、角芯部材６を挿入させるための上述の穿設孔１１ａが穿設され、そして、この穿設孔１１ａに連設する状態で、しかも、その勾配が角芯部材６の挿入方向（図５（Ｂ）中の矢印方向）に漸増する態様で上述のテーパ孔１１ｂが穿設され、更に、このテーパ孔１１ｂに続く上記連通孔１１ｃが穿設されている。尚、図３（Ａ）は、固定ブロック１１の正面断面図で、同図（Ｂ）は、同図（Ａ）のＢ矢視図であり、これら図面中において、１１ｄは、固定ブロック１１を軸部４ａに配設する際の当該軸部４ａの案内溝（図示せず）に挿入可能な案内突部であり、また、１１ｅは、固定ブロック１１を軸部４ａに固着させるための固定ピン（図示せず）が挿入される孔部である。
【００１２】
ここで、上記固定ブロック１１内を摺動する可動ブロック１０について、図４を参照して詳細に説明する。但し、図４（Ａ）は可動ブロック１０の正面図であり、同図（Ｂ）は同図（Ａ）のＣ矢視図であり、また、同図（Ｃ）は同図（Ａ）のＤ矢視図である。
可動ブロック１０は、本実施の形態では、ふたつに切り割りされた構成をなし、即ち、図４に示す上ブロック１２と、これと同形状で、且つ、図２に示すような態様に配される下ブロック１３とで構成され、これらブロック１２，１３によって、上記角芯部材６が挿入される矩形状の貫通孔１４が形成されるようになっており、かかる貫通孔１４には、上述した角芯部材６の側面６ａ、及び当該側面６ａの反対側に位置する側面に対応させて平目ローレット加工が施されている（図４（Ｃ）参照）。そして、この平目ローレット加工は、角芯部材６が穿設孔１１ａに挿入されるに伴い、同様の平目ローレット加工が施された当該角芯部材６の側面６ａ等からの摩擦力を受け、これにより、上述のブロック１２，１３は、そのテーパ面１２ａ，１３ａを介して上記テーパ孔１１ｂの面を一体となって摺動するようになっている。
ところで、本実施の形態では、上記テーパ孔１１ｂ、及びこれに係合する上ブロック１２のテーパ面１２ａは、平面で形成されるとともに、このテーパ面１２ａに連接して案内面１２ｂが設けられており（図示しないが、下ブロック１３についても同様）、これにより、角芯部材６の、その長手方向を軸とする軸まわりのがたつきが規制され、軸まわりに振れを生ずることがなくなる。また、この上ブロック１２の端面には後述のスプリング１５を着座させるための凸部１６が突設されている（図示しないが、下ブロック１３についても同様）。そして、上ブロック１２のスプリング（付勢手段）１５、及び下ブロック１３のスプリング（付勢手段）１７のそれぞれは、その一方端が軸部４ａに着座され、可動ブロック１０の、テーパ孔１１ｂの勾配が漸増する方向への摺動に抗する態様で配設される。尚、本実施の形態では、スプリング１５，１７がブロック１２，１３に対しそれぞれ配設される態様を示したが、ブロック１２，１３に対しスプリングを一つ配設するようにしてもよい。
【００１３】
ところで、把手部４の軸部４ａ、及び固定ブロック１１には、テーパ孔１１ｂに連通する角穴１８がそれぞれ設けられ（軸部４ａの角穴は図示せず）、これら角穴１８等によって操作窓が形成される一方、上ブロック１２及び下ブロック１３に切欠溝１９，２０がそれぞれ設けられ、これら切欠溝１９，２０によって角状のスリットが、上記操作窓に連通する態様で形成される（図２（Ａ））。これにより、例えばドライバのような操作具を上記操作窓に挿入し、上記スリットに差し込んだ操作具で可動ブロック１０を押動すると、可動ブロック１０の、その貫通孔１４を介して係止された角芯部材６との係合が解除されるので、角芯部材６を容易に引き抜くことができる。
【００１４】
次に、本ハンドル１の取り付け及び取り外しを、図５を参照して説明する。但し、図５（Ａ）は、角芯部材６を把手部４側の穿設孔１１ａ等に挿入する前を、また、同図（Ｂ）は、角芯部材６を穿設孔１１ａ等に挿入しているところを表した説明図である。
取り付け前においては、把手部４を予め固定ブロック１１を介してドア２の片側の取付座（図示せず）に取り付ける。しかる後、角芯部材６（実際には、角芯部材６が固定された把手部３）を穿設孔１１ａ等に挿入すべく、図５（Ａ）のように対向配置させる。そして、当該角芯部材６を、少しずつ又は一気に、同図（Ｂ）のように穿設孔１１ａ等に挿入する。
【００１５】
こうして、角芯部材６は、穿設孔１１ａを介して可動ブロック１０の貫通孔１４に挿入される。しかるに、角芯部材６を貫通孔１４に挿入していくにつれ、かかる貫通孔１４の平目ローレット加工は、同様の平目ローレット加工が施された角芯部材６の側面６ａ等から摩擦力を受け、かかる摩擦力により、可動ブロック１０は、スプリング１５，１７に抗してテーパ孔１１ｂ面を摺動し、テーパ孔１１ｂに対しその勾配が漸増する方向（図５（Ｂ）中の矢印方向）に移動していく。この移動に連れて、可動ブロック１０の上ブロック１２と下ブロック１３とは、互いに分離した態様をなすことは言うまでもない。
ところが、一旦貫通孔１４に挿入された角芯部材６を引き抜こうとしても、角芯部材６には、上ブロック１２及び下ブロック１３のくさび作用による挟み付け力、及びこれを助長するスプリング１５，１７による付勢力が付与されるために、引き抜きは不能になる。
【００１６】
そして、このように角芯部材６を穿設孔１１ａ、貫通孔１４を通して凹孔７に挿入していくと、自ずと角芯受け８がドア２の取付座（図示せず）に挿嵌され、これ以上の挿入ができなくなるので、挿入ができなくなった位置で把手部３の取り付けが完了する。したがって、取付作業者は、ドア２の厚みの如何を気にせずに、角芯部材６を穿設孔１１ａ等に挿入させていくだけで確実に取り付けできる。
また、取り付けられた把手部３，４を取り外す場合には、上記操作窓から操作具を挿入して、上記スリットに差し込んだ操作具で可動ブロック１０を図５（Ｂ）中の矢印方向に押動すると、可動ブロック１０は、当該方向に移動し、その貫通孔１４を介して係止された角芯部材６との係合が解除されるので、角芯部材６を貫通孔１４から容易に引き抜くことができ、両把手部３，４を簡単に取り外すことができる。
【００１７】
上述の実施の形態では、可動ブロック１０がふたつに切り割りされた、上ブロック１２と下ブロック１３とで構成される場合を説明したが、場合によっては可動ブロック１０を上ブロック１２のみで構成してもよいことはもちろんである。
【００１８】
【発明の効果】
本発明のドア用レバーハンドルによれば、ドアの両側にそれぞれ取り付けられるレバーハンドルで、その両側間の厚みに応じてがたつきを生ずることなく確実に、且つ、極めて簡便に取り付け可能となる。
【図面の簡単な説明】
【図１】本実施の形態に係るドア用レバーハンドルの外観斜視図である。
【図２】本ドア用レバーハンドルの構成図である。
【図３】本ドア用レバーハンドルの固定ブロックの構成図である。
【図４】本ドア用レバーハンドルの可動ブロックの構成図である。
【図５】本ドア用レバーハンドルの取り付け前後を表した説明図である。
【図６】従来のドア用レバーハンドルの構成図である。
【図７】従来のドア用レバーハンドルの構成図である。
【符号の説明】
１　　　　　　　本ドア用レバーハンドル
２　　　　　　　ドア
３，４　　　　　把手部
４ａ　　　　　　軸部
６　　　　　　　角芯部材（芯部材）
６ａ　　　　　　側面
１０　　　　　　可動ブロック
１１　　　　　　固定ブロック
１１ａ　　　　　穿設孔
１１ｂ　　　　　テーパ孔
１２　　　　　　上ブロック（可動ブロック）
１２ａ　　　　　テーパ面
１３　　　　　　下ブロック（可動ブロック）
１４　　　　　　貫通孔
１５，１７　　　スプリング（付勢手段）
【図１】
2004003356.tif 000003
【図２】
2004003356.tif 000004
【図３】
2004003356.tif 000005
【図４】
2004003356.tif 000006
【図５】
2004003356.tif 000007
【図６】
2004003356.tif 000008
【図７】
2004003356.tif 000009